(57)【要約】【課題】施工性がよく、また、外観を損なうことなしに熱負荷の高い空間の空調が可能な空気調和機の室内機及びその配置構造の提供を目的とするものである。【解決手段】空気調和機の室内機１は、底面開口を有し内部に送風機６と熱交換器７が配備される本体箱部２と、本体箱部２の底面開口を蓋止めする底面視矩形状のパネル枠３とから風路用筐体４が形成され、風路用筐体４内が熱交換器７を境に吸込側風路１４と吹出側風路１５とに区画され、パネル枠３における吸込側風路１４と連通する位置に室内空気の吸込口１６が形成され、パネル枠３における吹出側風路１５と連通する位置であって、パネル枠３の対向する２辺に沿うように第一吹出口１７と第二吹出口１８の二方向吹出口を備えた空気調和機の室内機１において、吹出側風路１５と連通する第三吹出口１９を、対向する２辺以外の１辺に沿うようにパネル枠３に形成した構成にしてある。【選択図】図１
2007205619.tif 000002
【特許請求の範囲】
【請求項１】
底面開口を有し内部に送風機と熱交換器が配備される本体箱部と、前記本体箱部の前記底面開口を蓋止めする底面視矩形状のパネル枠とから風路用筐体が形成され、前記風路用筐体内が前記熱交換器を境に吸込側風路と吹出側風路とに区画され、前記パネル枠における前記吸込側風路と連通する位置に室内空気の吸込口が形成され、前記パネル枠における前記吹出側風路と連通する位置であって、前記パネル枠の対向する２辺に沿うように第一吹出口と第二吹出口の二方向吹出口を備えた空気調和機の室内機において、前記吹出側風路と連通する第三吹出口を、前記対向する２辺以外の１辺に沿うように前記パネル枠に形成したことを特徴とする空気調和機の室内機。
【請求項２】
底面開口を有し内部に送風機と熱交換器が配備される本体箱部と、前記本体箱部の前記底面開口を蓋止めする底面視矩形状のパネル枠とから風路用筐体が形成され、前記風路用筐体内が前記熱交換器を境に吸込側風路と吹出側風路とに区画され、前記パネル枠における前記吸込側風路と連通する位置に室内空気の吸込口が形成され、前記パネル枠における前記吹出側風路と連通する位置であって、前記パネル枠の対向する２辺に沿うように第一吹出口と第二吹出口の二方向吹出口を備えた空気調和機の室内機において、前記本体箱部の側壁に前記吹出側風路と連通する開口部を形成し、前記パネル枠の、蓋止めした前記底面開口よりも外方位置に第三吹出口を形成し、前記第三吹出口は前記パネル枠の対向する２辺以外の１辺に沿うように形成され、前記開口部と前記第三吹出口とをダクトを介して連結したことを特徴とする空気調和機の室内機。
【請求項３】
底面開口を有し内部に送風機と熱交換器が配備される本体箱部と、前記本体箱部の前記底面開口を蓋止めする底面視矩形状のパネル枠とから風路用筐体が形成され、前記風路用筐体内が前記熱交換器を境に吸込側風路と吹出側風路とに区画され、前記パネル枠における前記吸込側風路と連通する位置に室内空気の吸込口が形成され、前記パネル枠における前記吹出側風路と連通する位置であって、前記パネル枠の対向する２辺に沿うように第一吹出口と第二吹出口の二方向吹出口を備えた空気調和機の室内機を室内の天井に配置した構造であって、前記二方向吹出口を備えた室内機の少なくとも１台と請求項１又は請求項２に記載の室内機とを、それぞれの前記第一吹出口を略同一直線上に配し、それぞれの前記第二吹出口を略同一直線上に配し、且つ、前記請求項１又は請求項２に記載の室内機の第三吹出口を前記二方向吹出口を備えた室内機より遠い側、且つ、熱負荷の大きい側に配したことを特徴とする空気調和装置の室内機の配置構造。
【発明の詳細な説明】
【技術分野】
【０００１】
本発明は、空気調和機の室内機及びその配置構造に関するものである。
【背景技術】
【０００２】
従来より、ビルや事務所などの天井部には蛍光灯などの照明機器と二方向の吹出口を備えた空気調和機の室内機とが設置されているが、その配置構造は、複数の蛍光灯を長手方向に直列に連設し、これと平行するよう室内機を連設するといった場合が多い。これは、天井部が全体として均整が取れて見え、室内機の存在感をなくすことができるという外観上の理由からである。
【０００３】
しかし、この場合に複数の室内機の端部に設置される室内機により空調される空間は窓側や壁側等のいわゆるペリメータゾーンであることが多く、夏季や冬季における外気や日射量の過不足などの外的要因によって熱負荷が高くなる空間である。そこで、この空間を空気調和するために、室内中央部のインテリアゾーンに設置される空気調和機とは別に、窓際等にペリメータゾーン用の異なった機種の空気調和機を別途設置するといったことが行われている。また、その他の方法として、端部に設置された室内機から特に空調負荷の高くなっている場所まで天井部にダクトを配備し熱交換された空気を窓際等で吹出させるといったことがある。更に、本来、主に店舗などに設置させることの多い三方向吹出しや四方向吹出しの室内機をペリメータゾーン用に、連設されている複数の室内機の端部に設置するといった場合もある。前記した三方向吹出しの室内機については、下記特許文献１に記載がある
【０００４】
【特許文献１】特開昭６１−１９１８１５号公報
【発明の開示】
【発明が解決しようとする課題】
【０００５】
しかし、別機種の空気調和機の熱負荷の高い場所への設置や、天井部へのダクトの配備には、二方向吹出口を備えた室内機の工事以外に追加の工事が必要となり施工面で問題があり、費用と手間を要する。また、元々店舗などに設置されている三方向吹出口や四方向吹出口を備えた室内機を、複数の室内機の端部に配備した場合には二方向吹出口を備えた室内機との均整がとれず、非常に存在感があり、外観上好ましくなかった。
【０００６】
本発明は、上記した従来の問題点に鑑みてなされたものであって、施工性がよく、また、外観を損なうことなしに熱負荷の高い空間の空調が可能な空気調和機の室内機及びその配置構造の提供を目的とするものである。
【課題を解決するための手段】
【０００７】
上記目的を達成するために、本発明に係る空気調和機の室内機は、底面開口を有し内部に送風機と熱交換器が配備される本体箱部と、本体箱部の底面開口を蓋止めする底面視矩形状のパネル枠とから風路用筐体が形成され、風路用筐体内が熱交換器を境に吸込側風路と吹出側風路とに区画され、パネル枠における吸込側風路と連通する位置に室内空気の吸込口が形成され、パネル枠における吹出側風路と連通する位置であって、パネル枠の対向する２辺に沿うように第一吹出口と第二吹出口の二方向吹出口を備えた空気調和機の室内機において、吹出側風路と連通する第三吹出口を、対向する２辺以外の１辺に沿うようにパネル枠に形成した構成にしてある。
【０００８】
また、底面開口を有し内部に送風機と熱交換器が配備される本体箱部と、本体箱部の底面開口を蓋止めする底面視矩形状のパネル枠とから風路用筐体が形成され、風路用筐体内が熱交換器を境に吸込側風路と吹出側風路とに区画され、パネル枠における吸込側風路と連通する位置に室内空気の吸込口が形成され、パネル枠における吹出側風路と連通する位置であって、パネル枠の対向する２辺に沿うように第一吹出口と第二吹出口の二方向吹出口を備えた空気調和機の室内機において、本体箱部の側壁に吹出側風路と連通する開口部を形成し、パネル枠の、蓋止めした底面開口よりも外方位置に第三吹出口を形成し、第三吹出口はパネル枠の対向する２辺以外の１辺に沿うように形成され、開口部と第三吹出口とをダクトを介して連結したものである。
【０００９】
そして、本発明にかかる空気調和機の室内機の配置構造は、底面開口を有し内部に送風機と熱交換器が配備される本体箱部と、本体箱部の底面開口を蓋止めする底面視矩形状のパネル枠とから風路用筐体が形成され、風路用筐体内が熱交換器を境に吸込側風路と吹出側風路とに区画され、パネル枠における吸込側風路と連通する位置に室内空気の吸込口が形成され、パネル枠における吹出側風路と連通する位置であって、パネル枠の対向する２辺に沿うように第一吹出口と第二吹出口の二方向吹出口を備えた空気調和機の室内機を室内の天井に配置した構造であって、二方向吹出口を備えた室内機の少なくとも１台と請求項１又は請求項２に記載の室内機とを、それぞれの第一吹出口を略同一直線上に配し、それぞれの第二吹出口を略同一直線上に配し、且つ、上記各構成の室内機の第三吹出口を二方向吹出口を備えた室内機より遠い側、且つ、熱負荷の大きい側に配したものである。
【発明の効果】
【００１０】
本発明では、パネル枠の対向する２辺以外の１辺に沿うように、吹出側風路と連通する第三の吹出口を設けたので、第一吹出口及び第二吹出口を備えた室内機と、第三吹出口を設けた室内機の第一吹出口及び第二吹出口とを同方向に連ね設置した場合に、均整の取れた連続的な美観を損なうことなしに空調負荷の高い室内空間を効果的に空気調和することが可能となる。
【発明を実施するための最良の形態】
【００１１】
実施の形態１．
図１は本発明の一実施形態に係る空気調和機の室内機１の分解斜視図、図２（ａ）は前記室内機１の正面図、（ｂ）は底面図である。
各図に示すように、本形態に係る空気調和機の室内機１は、外郭１０と、本体箱部２と、ドレンパン１３と、パネル枠３と、エアフィルタ１２と、化粧パネル１１が組み合わされた構造である。外郭１０と本体箱部２とは底面開口を有し、本体箱部２は外郭１０内に収容される。本体箱部２内の中央部にはモータ５により回転駆動する送風機６が収容され、送風機６の周囲に底面視Ｕ字状の熱交換器７が配備されている。
【００１２】
パネル枠３は底面視矩形状であり、このパネル枠３及びドレンパン１３によって本体箱部２の底面開口が蓋止めされ、風路用筐体４が形成される。風路用筐体４内は熱交換器７を境に吸込側風路１４と吹出側風路１５とに区画されており、パネル枠３において吸込側風路１４と連通する位置に室内空気の吸込口１６が形成されている。また、吹出側風路１５と連通する位置であって、矩形状のパネル枠３の対向する２辺に沿うように細長矩形状の第一吹出口１７と第二吹出口１８が設けられている。
【００１３】
また、パネル枠３には第三吹出口１９が形成されている。第三吹出口１９は蓋止めした本体箱部２の底面開口よりも外方に位置し、パネル枠３の対向する２辺以外の１辺に沿うように形成されている。本体箱部２の側壁には吹出側風路１５と連通する開口部９が形成され、この開口部９と第三吹出口１９とがダクト８を介して連結されている。
【００１４】
図３は、本形態の室内機１及び二方向吹出口を備えた室内機２２の天井配置構造を示す図である。図３において複数の蛍光灯２１，２１，２１，・・・が長手方向に直列に連設されており、これと平行するように二方向吹出口を備えた室内機２２，２２が連設され、その端部に本形態の室内機１，１が設置されている。二方向吹出口を備えた室内機２２，２２の第一吹出口２３，２３と本形態の室内機１，１の第一吹出口１７，１７とは略同一直線上に配されており、また、二方向吹出口を備えた室内機２２，２２の第二吹出口２４，２４と本形態の室内機１，１の第二吹出口１８，１８とは略同一直線上に配されている。更に、本形態にかかる室内機１の第三吹出口１９，１９は二方向吹出口を備えた室内機２２，２２より遠い側、且つ、熱負荷の大きい側、即ち、窓側２５或いは壁側２６に配されている。
【００１５】
引続き、空気調和機の室内機１の動作につき、以下に説明する。送風機６によって吸込口１６から吸い込まれた室内空気は風路用筐体４内に入り、吸込側風路１４を通過して熱交換器７に至る。そして、熱交換器７によって熱交換され、吹出側風路１５を通過して第一吹出口１７及び第二吹出口１８から室内に吹出され、また、開口部９近傍にある空気は開口部９からダクト８に入り、ダクト８内を通過して第三吹出口１９に至り室内に吹出される。
【００１６】
第三の吹出口１９は、パネル枠３の対向する２辺以外の１辺に沿うように設けられているので、二方向吹出口を備えた室内機２２と、本形態の室内機１を夫々の第一吹出口２３，１７及び第二吹出口２４，１８とを同方向に連ねて設置した場合に、均整の取れた連続的な美観を保つことができる。
【００１７】
また、本形態の室内機１は殆どの部品が二方向吹出口を備えた室内機２２の部品と全く同じものが使用でき、本体箱部２に開口部９を形成し、パネル枠３に第三吹出口１９を形成しダクト８を連結するといったわずかな加工を施すだけで三方向吹出口を備えた室内機１を製造することが可能である。よって、空調負荷の高い窓際等のためのみに別途異なる機種を製造し設置しなければならないといったことがなく簡便な方法で製造でき、追加の工事も不要であり施工性及びコスト面が改善される。
【００１８】
更に、第三吹出口１９は底面視矩形状のパネル枠３の対向する２辺以外の１辺に沿うように形成されており、第一吹出口１７及び第二吹出口１８とは風向が約９０度異なるので、空調負荷の高いペリメータゾーンに熱交換された空気を十分供給でき、室内空間を効果的に空気調和することが可能となる。その結果、本形態の室内機１はペリメータゾーンとインテリアゾーンとを双方空調制御することが可能となり、本形態の室内機１と二方向吹出口を備えた室内機２２と連設させることで、これらの室内機１，１，２２，２２により空調される空間の温度を一括して管理できる。よって、従来のようにインテリアゾーンとペリメータゾーンに別機種の空気調和機を夫々設置し、各々の空気調和機により空調制御する必要がない。
【００１９】
尚、上記の実施形態では、熱交換器７は底面視Ｕ字状のものを使用したが、本発明の室内機１はそれに限定されるものでなく、他の形状のものであってもよい。また、第三吹出口を蓋止めした本体箱部の底面開口よりも外方に位置するよう形成し本体箱部２の側壁に形成された開口部９と第三吹出口１９とがダクト８を介して連結されていたが、これに限定されず、第三吹出口を蓋止めした本体箱部の底面開口よりも内方に位置するよう形成し、ダクトを設けず、吹出側風路１５と連通する位置のドレンパンに開口部を形成し、パネル枠３に第三吹出口１９を形成してもよい。また、室内機の天井部への配置構造は二方向吹出口を備えた室内機２２を二台と三方向吹出口を備えた室内機１を二台配置する構造に限定されず、二方向吹出口を備えた室内機２２は夫々１台であってもよく、３台以上であってもよい。また、三方向吹出口を備えた室内機１は１台であってもよい。
【図面の簡単な説明】
【００２０】
【図１】本発明の一実施形態に係る空気調和機の室内機の分解構成図である。
【図２】（ａ）は前記室内機の正面図、（ｂ）は前記室内機の底面図である。
【図３】前記室内機の配置構造図である。
【符号の説明】
【００２１】
１  室内機、２  本体箱部、３  パネル枠、４  風路用筐体、６  送風機、７  熱交換器、８  ダクト、９  開口部、１４  吸込側風路、１５  吹出側風路、１６  吸込口、１７  第一吹出口、１８  第二吹出口、１９  第三吹出口、２２  二方向吹出口を備えた室内機、２３  二方向吹出口を備えた室内機の第一吹出口、２４  二方向吹出口を備えた室内機の第二吹出口。
【図１】
2007205619.tif 000003
【図２】
2007205619.tif 000004
【図３】
2007205619.tif 000005